(57)【要約】【課題】被収容物の重さに耐えて該被収容物を収容することが出来る収容箱を提供する。【解決手段】被収容物の挿入口３１を有し、該被収容物を収容する収容筐体３を備える収容箱１において、収容筐体３は、挿入口３１に対向する底壁３３２と、底壁３３２に倣う形状を有し、底壁３３２と重なる底壁３２２とを備え、挿入口３１に対向する壁を二重構造にすることにより、斯かる被収容物の重さにより底抜き等の問題が発生することを抑制する。【選択図】図３
2017056964.tif 000002
【特許請求の範囲】
【請求項１】
被収容物の挿入口を有し、該被収容物を収容する収容筐体を備える収容箱において、
前記収容筐体は、
前記挿入口に対向する第１対向壁と、
該第１対向壁に倣う形状を有し、該第１対向壁と重なる第２対向壁と
を備えることを特徴とする収容箱。
【請求項２】
前記収容筐体は、
前記第１対向壁、並びに、該第１対向壁に隣り合う、表壁及び一の側壁２枚が一体となった表側部材と、
前記第２対向壁、並びに、該第２対向壁に隣り合う、裏壁及び他の側壁２枚が一体となった裏側部材と
を備えることを特徴とする請求項１に記載の収容箱。
【請求項３】
前記表側部材及び／又は前記裏側部材は透明又は半透明であることを特徴とする請求項２に記載の収容箱。
【請求項４】
被収容物の挿入口を有し、該被収容物を収容する収容筐体を備える収容箱の製造方法において、
前記挿入口に対向する第１対向壁、並びに、該第１対向壁に隣り合う、表壁及び一の側壁２枚が一体となった表側部材の製造工程と、
前記第１対向壁に倣う形状を有し、該第１対向壁と重なる第２対向壁、並びに、該第２対向壁に隣り合う、裏壁及び他の側壁２枚が一体となった裏側部材の製造工程と、
前記第１対向壁と、前記第２対向壁とを貼り合わせる工程と
を含むことを特徴とする収容箱の製造方法。
【発明の詳細な説明】
【技術分野】
【０００１】
本発明は、被収容物の挿入口を有し、該被収容物を収容する収容筐体を備える収容箱に関する。
【背景技術】
【０００２】
近年、コピー用紙等の紙類を収容する箱において、ユーザの利便性を高めるために、様々な工夫がされている。
【０００３】
例えば、特許文献１においては、底面と壁面とを備え、消耗品を収容する箱体であって、壁面の内側に消耗品の残量を示す残量表示部を設け、消耗品の消耗につれて表れる該残量表示部を用いて、簡単に消耗品の残量を確認できる箱体が開示されている。
【先行技術文献】
【特許文献】
【０００４】
【特許文献１】特開２０１４−１３６６０３号公報
【発明の概要】
【発明が解決しようとする課題】
【０００５】
一方、被収容物が紙類である場合でも、紙類が多数の場合、被収容物は相当な重さとなる。また、被収容物の荷重は殆ど当該箱体の底にかかるので、底抜き等が発生する虞がある。更に、該箱体の角等に外部から衝撃等が加わった場合は、原型を保つことが出来ずつぶれてしまう虞もある。
【０００６】
このような問題を解決する方法としては、斯かる箱体に用いられる材料を厚くすることが考えられるが、この場合、箱体全体が重くなり携帯性が悪くなる。
【０００７】
しかしながら、上述した問題に対して、特許文献１の箱体は何ら考慮しておらず、斯かる問題を解決できない。
【０００８】
本発明は、斯かる事情に鑑みてなされたものであり、その目的とするところは、被収容物の挿入口を有し、該被収容物を収容する収容筐体を備える収容箱において、底抜き、原型破損等の問題発生を抑制しつつ、軽量化を図ることができる収容箱を提供することにある。
【課題を解決するための手段】
【０００９】
本発明に係る収容箱は、被収容物の挿入口を有し、該被収容物を収容する収容筐体を備える収容箱において、前記収容筐体は、前記挿入口に対向する第１対向壁と、該第１対向壁に倣う形状を有し、該第１対向壁と重なる第２対向壁とを備えることを特徴とする。
【００１０】
本発明にあっては、前記収容筐体は前記挿入口に対向する壁が、前記第１対向壁及び前記第２対向壁の二重構造となり、前記収容筐体全体を厚くすることなく、前記挿入口に対向する壁の強度を強化できることから、軽量化を図りつつ、被収容物の重さ、外部からの衝撃等に耐えて該被収容物を収容することが出来る。
【００１１】
本発明に係る収容箱は、前記収容筐体は、前記第１対向壁、並びに、該第１対向壁に隣り合う、表壁及び一の側壁２枚が一体となった表側部材と、前記第２対向壁、並びに、該第２対向壁に隣り合う、裏壁及び他の側壁２枚が一体となった裏側部材とを備えることを特徴とする。
【００１２】
本発明にあっては、前記収容筐体は前記表側部材及び前記裏側部材からなるので、前記挿入口に対向する壁と共に、斯かる側壁も二重構造となる。
【００１３】
本発明に係る収容箱は、前記表側部材及び／又は前記裏側部材は透明又は半透明であることを特徴とする。
【００１４】
本発明にあっては、前記表側部材及び／又は前記裏側部材が透明又は半透明であるので、前記収容筐体の中を肉眼で容易に確認できる。
【００１５】
本発明に係る収容箱の製造方法は、被収容物の挿入口を有し、該被収容物を収容する収容筐体を備える収容箱の製造方法において、前記挿入口に対向する第１対向壁、並びに、該第１対向壁に隣り合う、表壁及び一の側壁２枚が一体となった表側部材の製造工程と、前記第１対向壁に倣う形状を有し、該第１対向壁と重なる第２対向壁、並びに、該第２対向壁に隣り合う、裏壁及び他の側壁２枚が一体となった裏側部材の製造工程と、前記第１対向壁と、前記第２対向壁とを貼り合わせる工程とを含むことを特徴とする。
【００１６】
本発明にあっては、前記収容箱の製造の際、前記表側部材と、前記裏側部材とを製造した後、前記表側部材の第１対向壁及び前記裏側部材の第２対向壁を貼り合わせ、前記表側部材及び前記裏側部材を結合させる。
【発明の効果】
【００１７】
本発明によれば、底抜き、原型破損等の問題発生の抑制及び軽量化を図りつつ、被収容物の重さ、外部からの衝撃等に耐えて該被収容物を収容することが出来る。
【図面の簡単な説明】
【００１８】
【図１】実施の形態１に係る収容箱の外見を表側から示す斜視図である。
【図２】実施の形態１に係る収容箱の外見を表側から示す斜視図である。
【図３】図１のＡ−Ａ線による断面図である。
【図４】実施の形態１に係る収容箱の概略的分解図である。
【図５】実施の形態１に係る収容箱における、表側部材の製造方法を説明する説明図である。
【図６】実施の形態１に係る収容箱における、裏側部材の製造方法を説明する説明図である。
【図７】実施の形態２に係る収容箱の斜視図である。
【図８】実施の形態２に係る収容箱の正面図である。
【図９】実施の形態２に係る収容箱の側面図である。
【図１０】実施の形態３に係る収容箱の斜視図である。
【図１１】実施の形態３に係る収容箱の正面図である。
【図１２】実施の形態３に係る収容箱の側面図である。
【図１３】実施の形態４に係る収容箱の断面図である。
【発明を実施するための形態】
【００１９】
以下に、本発明の実施の形態に係る収容箱及び該収容箱の製造方法を、図面に基づいて詳述する。説明の便宜上、斯かる収容箱は、Ｆ６サイズの用紙を収容するためのものであり、Ｆ６サイズの用紙に対応する大きさを有するものとする。
【００２０】
（実施の形態１）
図１及び図２は実施の形態１に係る収容箱の外見を表側から示す斜視図であり、図３は図１のＡ−Ａ線による断面図であり、図４は実施の形態１に係る収容箱の概略的分解図である。図中符号１は本実施の形態に係る収容箱を示す。また、図１は収容箱１の後述する蓋２１が閉じている状態を示しており、図２は蓋２１が開いている状態を示している。
【００２１】
収容箱１は正面視矩形である六面体形状を有しており、Ｆ６サイズの用紙（以下、Ｆ６用紙と称する。）を収容する収容筐体３と、蓋筐体２とを備えている。Ｆ６用紙は、挿入口３１を介して収容筐体３内に収容され、蓋筐体２の蓋２１は挿入口３１を開閉する。
【００２２】
収容筐体３は、一面側の挿入口３１が斜めの表に向けて開口された六面体形状を有しており、表側の表側部材３３と、裏側の裏側部材３２とを含む。すなわち、収容筐体３は裏側部材３２及び表側部材３３の結合により形成されている。
【００２３】
表側部材３３は矩形である表壁３３１を有している。表壁３３１においては、蓋筐体２側の一辺を除く他の辺縁に、表壁３３１と直角をなして、裏側に向かって壁３３３，３３３，３３２が延設されている。壁３３３は、表壁３３１の長辺側に設けられており、壁３３２は表壁３３１の短辺側に設けられている。以下においては、壁３３３を側壁３３３と言い、壁３３２を底壁３３２（第１対向壁）と言う。
【００２４】
すなわち、側壁３３３は長手方向の寸法が表壁３３１の長辺の寸法と等しい短冊状をなしている。また、底壁３３２は長手方向の寸法が表壁３３１の短辺の寸法と等しい短冊状をなしている。
【００２５】
このような表側部材３３は、裏側部材３２と同じ材質であってもよく、異なる材質であっても良い。例えば、表側部材３３は透明又は半透明（例えば、乳白）な材料を用いることにより、収容筐体３内部のＦ６用紙を確認できるように構成しても良い。
【００２６】
一方、裏側部材３２は裏壁３２１を有している。裏壁３２１は長手方向の寸法が表壁３３１より少し大きい略矩形である。裏壁３２１においては、蓋筐体２側の一辺を除く他の辺縁に、裏壁３２１と直角をなして、表側に向かって壁３２３，３２３，３２２が延設されている。壁３２３は、裏壁３２１の長辺側に設けられており、壁３２２は裏壁３２１の短辺側に設けられている。以下においては、壁３２３を側壁３２３と言い、壁３２２を底壁３２２（第２対向壁）と言う。
【００２７】
底壁３２２は長手方向の寸法が裏壁３２１の短辺の寸法と等しい短冊状をなしており、表側部材３３の底壁３３２と略等しい形状及び大きさを有している。
【００２８】
一方、側壁３２３は長手方向の寸法が裏壁３２１の長辺の寸法より少し大きい短冊状をなしている。詳しくは、側壁３２３は蓋筐体２側の端部３２４が蓋筐体２側に向けて突出されている。蓋筐体２は端部３２４を用いて収容筐体３に取り付けられる。
【００２９】
また、端部３２４には、後述する蓋筐体２の係合突起２４に対応する係合孔３２５が形成されている。
【００３０】
蓋筐体２は、裏壁３２１の外側に配置されるバックボードＢと、収容筐体３に取り付けるための取付部２３と、挿入口３１を開閉する蓋２１とを有している。
【００３１】
バックボードＢは、裏壁３２１の短手方向を長手方向とする矩形であり、挿入口３１側にて、一の長辺部が裏壁３２１の短辺部と重なるように、裏壁３２１の外側に配置される。バックボードＢにおいては、裏壁３２１と重なる部分に、例えば、接着剤、両面テープ等を付けるようにしても良い。
【００３２】
また、バックボードＢの両短辺部には取付部２３が夫々設けられており、バックボードＢの他の長辺部にはヒンジ２８が設けられ、ヒンジ２８を介して蓋２１が接続されている。蓋２１はヒンジ２８に対して回動し、挿入口３１を開閉する。
【００３３】
取付部２３には、側壁３２３の端部３２４を外嵌するために、端部３２４の大きさに対応する溝Ｍが形成されている。また、取付部２３の外側には後述する止め突起２２に対応する止め穴２５が形成されている。更に、取付部２３には、端部３２４に形成された係合孔３２５に対応する係合突起２４が形成されている。係合突起２４は溝Ｍの内側に向かって突設されている。
【００３４】
側壁３２３の端部３２４は、取付部２３の溝Ｍ内に挿通され、取付部２３の係合突起２４と、端部３２４の係合孔３２５とが係合する。これによって、蓋筐体２が収容筐体３に取り付けられる。
【００３５】
蓋２１は、ヒンジ２８に一の長辺が接続されている矩形の天井板２９を有している。天井板２９は、蓋２１が挿入口３１を閉じた場合、底壁３３２及び底壁３２２と対向し、底壁３３２又は底壁３２２に倣う形状を有している。例えば、天井板２９には、ラベルシート（図示せず）が付されている。
【００３６】
天井板２９の他の長辺には、天井板２９と直角をなして表側に延びる蓋板２６が延設されている。蓋板２６は天井板２９と長手方向の寸法が等しく、天井板２９より短手方向の寸法が大きい矩形をなしている。
【００３７】
蓋板２６の両短辺であって、かつ、天井板２９の両短辺には、蓋板２６及び天井板２９と直交する方向に鍔２７が設けられている。鍔２７は天井板２９の短辺と等しい短辺を有し、蓋板２６の短辺と等しい長辺を有する矩形をなしている。また、鍔２７の先端は丸みのあるカット処理が施されている。
【００３８】
鍔２７の先端部の内側には、取付部２３の止め穴２５に対応する止め突起２２が形成されている。蓋２１が挿入口３１を閉じた場合、両止め突起２２が夫々の止め穴２５と係合することにより蓋２１の回動が止められ、斯かる閉の状態が保持される。
【００３９】
このような蓋筐体２は、裏側部材３２又は表側部材３３と同じ材質であってもよく、異なる材質であっても良い。例えば、蓋筐体２は透明又は半透明（例えば、乳白）な材料を用いることにより、収容筐体３内部のＦ６用紙を確認できるように構成しても良い。
【００４０】
上述したように、裏側部材３２及び表側部材３３の結合により収容筐体３が形成される。表側部材３３及び裏側部材３２の結合の際、例えば、表側部材３３が裏側部材３２を覆うように組み立てられる。
【００４１】
斯かる組み立ての際、表側部材３３の２つの側壁３３３が、裏側部材３２の２つの側壁３２３と夫々整合するように配置され、かつ、側壁３３３の内側面と側壁３２３の外側面とが当接し、接着剤、両面テープ等によって貼り合わされる。
【００４２】
また、表側部材３３の底壁３３２が、裏側部材３２の底壁３２２と整合するように配置され、かつ、底壁３３２の内側面と底壁３２２の外側面とが当接し、接着剤、両面テープ等によって貼り合わされる。
【００４３】
すなわち、実施の形態１に係る収容箱１においては、収容筐体３が、側壁３２３及び側壁３３３からなる二重の側壁を有し、底壁３２２及び底壁３３２からなる二重の底壁を有する。従って、収容筐体３に多数のＦ６用紙が収容され、重い荷重がかかる場合であっても、耐えることが出来る。
【００４４】
更に、薄い材料からなる表側部材３３及び裏側部材３２を用いる場合は、収容筐体３全体の重さを抑えつつ、収容筐体３の側壁及び底壁を二重構造にするので、収容筐体３の軽量化及び強度強化を共に図ることが出来る。従って、希望の強度を得るために収容筐体３全体を厚い材料から形成する必要がなく、携帯性を高めることが出来る。
【００４５】
また、本発明はこれに限るものでない。例えば、表側部材３３及び裏側部材３２の何れか一方のみを薄い材料から形成しても良い。
【００４６】
更に、本発明はこれに限るものでなく、表側部材３３及び裏側部材３２の結合の際、例えば、裏側部材３２が表側部材３３を覆うように構成しても良い。すなわち、側壁３３３の外側面と側壁３２３の内側面とが当接し、底壁３３２の外側面と底壁３２２の内側面とが当接するように構成しても良い。
【００４７】
図５は実施の形態１に係る収容箱１における、表側部材３３の製造方法を説明する説明図であり、図６は実施の形態１に係る収容箱１における、裏側部材３２の製造方法を説明する説明図である。以下において、表側部材３３及び裏側部材３２の製造方法について説明する。
【００４８】
先ず、図５及び図６に示すように、表側部材３３製造用の表側部材用シート３３Ａと、裏側部材３２製造用の裏側部材用シート３２Ａとを準備する。表側部材用シート３３Ａ及び裏側部材用シート３２Ａは、例えば、所定の柔軟性を有するプラスチック、樹脂等の板材からカット処理により得られる。
【００４９】
表側部材用シート３３Ａにおいては、表壁３３１と、側壁３３３及び底壁３３２との間が折り目Ｌによって区切られている。従って、表壁３３１と直角をなすように、折り目Ｌに沿って、側壁３３３及び底壁３３２を折り曲げることにより、表側部材３３を製造することが出来る。
【００５０】
また、裏側部材用シート３２Ａにおいては、裏壁３２１と、側壁３２３及び底壁３２２との間が折り目Ｌによって区切られている。従って、裏壁３２１と直角をなすように、折り目Ｌに沿って、側壁３２３及び底壁３２２を折り曲げることにより、裏側部材３２を製造することが出来る。
【００５１】
このように製造された裏側部材３２及び表側部材３３に対して、上述したように、側壁３３３の内側面と側壁３２３の外側面とを貼り合わせ、かつ、底壁３３２の内側面と底壁３２２の外側面とを貼り合わせる。これによって、収容筐体３が組み立てられる（図４参照）。
【００５２】
次いで、側壁３２３の端部３２４を蓋筐体２の取付部２３の溝Ｍ内に挿通し、取付部２３の係合突起２４と、端部３２４の係合孔３２５とを係合させる（図４参照）。これによって、収容箱１が製造される。
【００５３】
以上の記載においては、Ｆ６用紙に対応した大きさの収容箱１を例に挙げて説明したが、本発明はこれに限るものでない。例えば、収容箱１がＦ４サイズ、Ｆ２サイズの用紙に対応した大きさを有するように構成しても良い。
【００５４】
また、本発明は、以上の記載に限るものでなく、裏側部材３２及び表側部材３３は同じ色彩であっても良く、異なる色彩であっても良い。更に、表側部材３３のみでなく裏側部材３２も透明又は半透明（例えば、乳白）な材料からなるように構成しても良い。かつ、表側部材３３及び裏側部材３２の何れか一方のみが透明又は半透明な材料からなるように構成しても良い。
【００５５】
なお、以上においては、収容筐体３が、側壁３２３及び側壁３３３からなる二重の側壁を有し、底壁３２２及び底壁３３２からなる二重の底壁を有する場合を例に挙げて説明したが、本発明はこれに限るものでない。例えば、表壁３３１及び／又は裏壁３２１を二重に構成しても良い。
【００５６】
（実施の形態２）
本発明は以上の記載に限るものでない。説明の便宜上、以下においては、蓋２１の開閉方向を縦方向とする。
【００５７】
実施の形態１においては、収容箱１が正面視において縦方向が長手方向である矩形である場合を例に挙げて説明したが、実施の形態２に係る収容箱１はその形状において相違する。
【００５８】
図７は実施の形態２に係る収容箱１の斜視図であり、図８は実施の形態２に係る収容箱１の正面図であり、図９は実施の形態２に係る収容箱１の側面図である。
【００５９】
図７及び図８から分かるように、実施の形態２に係る収容箱１は正面視において、縦方向が短手方向である矩形である。実施の形態２に係る収容箱１の他の構成は、実施の形態１と同様であるので、同一の符号を付して詳細な説明を省略する。
【００６０】
また、実施の形態２において、収容箱１の表裏方向の寸法は実施の形態１と同様であり、収容筐体３においては、実施の形態１と同様、側壁３２３及び側壁３３３からなる二重の側壁を有し、底壁３２２及び底壁３３２からなる二重の底壁を有する。
【００６１】
また、実施の形態２に係る収容箱１においても、実施の形態１に係る収容箱１と同じ効果を奏することは言うまでもない。
【００６２】
（実施の形態３）
本発明は以上の記載に限るものでない。実施の形態１においては、収容箱１が正面視において縦方向が長手方向である矩形である場合を例に挙げて説明したが、実施の形態３に係る収容箱１はその形状において相違する。
【００６３】
図１０は実施の形態３に係る収容箱１の斜視図であり、図１１は実施の形態３に係る収容箱１の正面図であり、図１２は実施の形態３に係る収容箱１の側面図である。
【００６４】
図１０及び図１１から分かるように、実施の形態３に係る収容箱１は正面視において、正方形である。実施の形態３に係る収容箱１の他の構成は、実施の形態１と同様であるので、同一の符号を付して詳細な説明を省略する。また、実施の形態２において、収容箱１の表裏方向の寸法は実施の形態１と同様である。
【００６５】
また、実施の形態３において、収容箱１の表裏方向の寸法は実施の形態１と同様であり、収容筐体３においては、実施の形態１と同様、側壁３２３及び側壁３３３からなる二重の側壁を有し、底壁３２２及び底壁３３２からなる二重の底壁を有する。
【００６６】
なお、実施の形態３に係る収容箱１においても、実施の形態１に係る収容箱１と同じ効果を奏することは言うまでもない。
【００６７】
更に、本発明は以上の記載に限るものでなく、表壁３３１、裏壁３２１、何れかの側壁、又は何れかの底壁にスリットを設け、収容箱１の軽量化を図った構成であっても良い。
【００６８】
（実施の形態４）
なお、本発明は、以上の記載に限るものでなく、更に収容筐体３の底壁の強度を高めるように構成しても良い。図１３は実施の形態４に係る収容箱１の断面図である。
【００６９】
実施の形態４に係る収容箱１の収容筐体３においては、底壁３２２と底壁３３２との二重の底壁のうち、より内側の底壁、例えば、底壁３２２の内側面に、底壁３２２の長手方向に沿って３つのリブ３２６が突設されている。これによって、底壁の強度を高めることができると共に、用紙が詰めて収容されるよう案内できる。
【００７０】
なお、以上の記載では、リブ３２６が３つである場合を例として説明したが、これに限るものでなく、リブ３２６は１つであっても良く、４つ以上であっても良い。
【符号の説明】
【００７１】
１  収容箱
３  収容筐体
４  挿入口
３２  裏側部材
３３  表側部材
３２１  裏壁
３２２  底壁
３２３  側壁
３３１  表壁
３３２  底壁
３３３  側壁
【図１】
2017056964.tif 000003
【図２】
2017056964.tif 000004
【図３】
2017056964.tif 000005
【図４】
2017056964.tif 000006
【図５】
2017056964.tif 000007
【図６】
2017056964.tif 000008
【図７】
2017056964.tif 000009
【図８】
2017056964.tif 000010
【図９】
2017056964.tif 000011
【図１０】
2017056964.tif 000012
【図１１】
2017056964.tif 000013
【図１２】
2017056964.tif 000014
【図１３】
2017056964.tif 000015